(57)【要約】【課題】表示部を有する表示基板を設置する基板室内を密閉し、その基板室に設置した乾燥剤が経時により飽和状態にならないようにして表示部に結露が生じないようにした炊飯器を得ること。【解決手段】炊飯器本体１と、該炊飯器本体に回動自在に設けられた蓋体１２と、該蓋体に設けられた操作パネル１６と、該操作パネルの下方に設けられた基板室２６と、該基板室内に配設され、操作パネルの操作状態を表示する表示部を有する表示基板２８とを備え、基板室を密閉して外気と遮断し、該基板室内に乾燥剤３０を配設し、基板室内の空気の温度変化によって生じる空気の体積変化を吸収する内圧調整機構を設け、その内圧調整機構は基板室と連通するよう設けられた筒状の内圧調整室３１と、該内圧調整室内に外気を遮断するよう配設され、基板室内の空気の体積変化に応じて可動する弁体３２とから構成されてなる。【選択図】図１
2010075458.tif 000002
【特許請求の範囲】
【請求項１】
炊飯器本体と、該炊飯器本体に回動自在に設けられた蓋体と、該蓋体に設けられた操作パネルと、該操作パネルの下方に設けられた基板室と、該基板室内に配設され、操作パネルの操作状態を表示する表示部を有する表示基板とを備えた炊飯器であって、
前記基板室を密閉して外気と遮断し、該基板室内に乾燥剤を配設し、
前記基板室の内圧を調整する内圧調整機構を設けたことを特徴とする炊飯器。
【請求項２】
前記内圧調整機構は、前記基板室と連通するよう設けられた筒状の内圧調整室と、該内圧調整室内に外気を遮断するよう配設され、前記基板室内の空気の体積変化に応じて可動する弁体とから構成されていることを特徴とする請求項１記載の炊飯器。
【請求項３】
前記内圧調整機構は、前記基板室と連通するよう設けられた管体と、該管体に取り付けられ、前記基板室内の空気の体積変化に応じて伸縮自在な風船状の内圧調整室であることを特徴とする請求項１記載の炊飯器。
【請求項４】
前記内圧調整機構は、前記基板室の壁面に設けた開口と、該開口を閉塞するように設けられ、前記基板室内の空気の体積変化に応じて伸縮自在な素材とから構成されていることを特徴とする請求項１記載の炊飯器。  
【発明の詳細な説明】
【技術分野】
【０００１】
本発明は炊飯器に係り、特に炊飯器本体に回動自在に設けられた蓋体内に設置した表示部に結露が生じないようにした炊飯器に関するものである。
【背景技術】
【０００２】
電子制御式の炊飯器にあっては、操作部や表示部を有する基板の装備は必須であり、その設置位置は次の２通りに大別される。
１．炊飯器本体に設置されるもの。
２．炊飯器本体に回動自在に設けられた蓋体内に設置されるもの。
このうち、上記２の蓋体内に設置するものにあっては、製品の外径寸法を小さく設計できる長所がある反面、調理物を収容する内鍋の上方に表示部が設置されるため、熱的影響を受けやすく、該基板室内の温度変化が大きく、外気との温度差により表示部に結露が生じやすかった。
これを解決するために、表示部を有する基板を設置する基板室を外気と遮断し、該基板室内に乾燥剤を設置したもの（例えば、特許文献１参照）や、さらに、該基板室からなるべく遠ざかる位置に熱源を配置するようにしたものがあった（例えば、特許文献２参照）。
【特許文献１】特開２０００−２３７０４３号公報（第１頁、図１）
【特許文献２】特開２０００−７０１２９号公報（第１頁、図１）
【発明の開示】
【発明が解決しようとする課題】
【０００３】
上記特許文献１に記載の従来の炊飯器で、表示部を有する基板を設置する基板室内を略密閉し乾燥剤を設置したものがあるが、表示部に結露が生じるのを防止するのに決定的なものではなかった。
これは、基板室を完全密閉状態に出来ていないことに起因し、つまり基板室内の温度上昇による内圧上昇を防ぐために外気に連通する連通孔を設けざるを得なかったためで、経時により乾燥剤が飽和状態になり、そうすると乾燥剤が機能を発揮できず表示部に結露が生じることは避けられない現象であった。
また、上記特許文献２に記載の従来の炊飯器で、基板室からなるべく遠ざかる位置に熱源を配置したものも、熱源による影響を完全に受けず、表示部に結露を生じないようにすることは難しいという問題があった。
本発明はかかる課題を解決するためになされたもので、表示部を有する基板を設置する基板室内を密閉し、その基板室に設置した乾燥剤が経時により飽和状態にならないようにして表示部に結露が生じることがないようにした炊飯器を得ることを目的とする。
【課題を解決するための手段】
【０００４】
本発明に係る炊飯器は、炊飯器本体と、該炊飯器本体に回動自在に設けられた蓋体と、該蓋体に設けられた操作パネルと、該操作パネルの下方に設けられた基板室と、該基板室内に配設され、操作パネルの操作状態を表示する表示部を有する表示基板とを備えた炊飯器であって、前記基板室を密閉して外気と遮断し、該基板室内に乾燥剤を配設し、前記基板室の内圧を調整する内圧調整機構を設けたものである。
【発明の効果】
【０００５】
本発明に係る炊飯器においては、炊飯器本体に回動自在に設けられた蓋体に設けられている操作パネルの下方に基板室を設け、基板室内に操作パネルの操作状態を表示する表示部を有する表示基板を配設し、基板室を密閉して外気と遮断し、基板室内に乾燥剤を配設し、基板室の内圧を調整する内圧調整機構を設けたので、基板室内の温度が上昇して基板室の内圧が上昇するが、その上昇する内圧を内圧調整機構が抑制するように調整し、基板室内の水蒸気量だけを基板室に配置した乾燥剤によって吸収するため、基板室内に配設された表示部に結露を生じさせることが防止され、また、その乾燥剤は密閉状態にある基板室に配設されているために経時による乾燥剤の機能低下が生じることもないという効果がある。
【発明を実施するための最良の形態】
【０００６】
実施の形態１．
図１は本発明の実施の形態１の炊飯器の構成を示す断面図、図２は同炊飯器の要部の構成を示す断面図である。
図１において、炊飯器本体１は内鍋２を備えている。その内鍋２は、外面が磁性体金属で構成された有底筒状の容器で、開口部周縁に形成されたフランジ部が保護枠３の上部に懸架されている。
その保護枠３は、内鍋２を収納するための開口部を有し、上部枠３ａと、胴ヒータ４が貼付された側面放熱板５と、コイル台７とにより構成されている。
【０００７】
その保護枠３のコイル台７に支持された加熱手段である誘導コイル６は、内鍋２の底部コーナー部に対向するように配設された側部誘導コイル６ａと、内鍋２の底部に対向するように配設された底部誘導コイル６ｂとからなっている。
フェライト８は、誘導コイル６の側部誘導コイル６ａ及び底部誘導コイル６ｂを覆うように形成され、コイル台７に取り付けられたフェライト台９によって支持されている。
このフェライト８は、側部誘導コイル６ａ及び底部誘導コイル６ｂから発生する磁束が外部に漏れないように設けられたものである。
鍋温度検知手段であるサーミスタからなる底センサ１０は、コイル台７の中央部を貫通して取り付けられ、内鍋２の底部に接触し、内鍋２に収容された炊飯物の温度を間接的に検知する。
【０００８】
炊飯器本体１の上部を覆う蓋体１２は、保護枠３の上部枠３ａに一体に成形されたヒンジ部３ｂに軸１３を介して開閉自在に支持されている。その蓋体１２の内面下部には蓋放熱板１４が取り付けられ、蓋放熱板１４の内面には蓋ヒータ１５が貼付されている。
また、蓋体１２の上部手前側には、各種の操作スイッチを設けた操作パネル１６が設けられている。さらに、蓋体１２の下面に内蓋１７が内蓋係止片１８によって着脱自在に取り付けられている。その内蓋係止片１８は蓋体１２の下部手前側に設けられた係止片保持部材１９によって保持されている。
【０００９】
また、内蓋１７の外周部には、蓋体１２が閉じられたときに内鍋２に接して閉塞するパッキン２０が配設されている。さらに、内蓋１７には、サーミスタからなる蓋温度センサ２１が内蓋１７を貫通して蓋放熱板１４から内鍋２側に突出するように取り付けられ、内鍋２の内部の雰囲気温度を検知するものである。
また、蓋体１２の上部後側に、蒸気口カートリッジ２２が配設されており、その蒸気口カートリッジ２２の内部は蒸気通路２３が形成されており、蒸気口カートリッジ２２の下部には、炊飯中にカートリッジ内部に溜まったおねばを釜内が常温に戻った際に戻すためのおねば戻し弁２４が取り付けられている。
【００１０】
操作パネル１６の下方には、蓋体１２の上部外側と一体の凹状の基板室２６が外気と遮断するよう密閉状態に設けられている。基板室２６内には表示部取付枠２７が配設され、その表示部取付枠２７の下部に表示基板２８が取り付けられ、表示部取付枠２７の上部に操作パネル１６の予約時刻等の設定情報、お米の種類、炊き上がり状態等の操作状態を表示する表示手段である液晶表示部２９が取り付けられている。
さらに、基板室２６の底部中央に凹部２６ａが設けられ、その凹部２６ａに乾燥剤３０が配設されている。
また、基板室２６の底部には、該底部と連通する円筒状の内圧調整室３１が並設されている。その内圧調整室３１は先端側が先細りで先端が開口しており、内部には例えばゴム等のシール部材で形成された弁体３２が配置されている。
従って、基板室２６の内圧を調整する内圧調整機構は、内圧調整室３１と、内圧調整室３１内を基板室２６ｂ内の空気の体積変化に応じて可動する弁体３２とから構成される。  この内圧調整室３１の容量は、基板室２６内の温度が最大限上昇して内圧が上昇し、その内圧を抑制するために基板室２６内の増加する空気の体積分の容量であり、内圧調整室３１内を弁体３２が移動することにより、内圧調整室３１の容量は可変調整される。
【００１１】
炊飯器本体１の後部には、制御基板３５が配設され、その制御基板３５に制御手段（図示省略）を有する制御回路３６が設けられている。
その制御手段は、マイコンからなり、予め格納されたプログラムに従って炊飯から保温の各工程を実施する。
【００１２】
次に、本発明の実施の形態１の炊飯器の動作について説明する。
炊飯時には、内鍋２を誘導加熱コイル６により電磁誘導加熱して、底センサ１０及び蓋温度センサ２１の検出温度と、時間管理とに基づいて、内鍋２への加熱量を調節する。
具体的には炊飯時には内鍋２に入れた被炊飯物たる米と水を加熱し、内鍋２の温度を検出する底センサ１０が所定の炊きあげ温度（１２０℃）に達したら、炊飯加熱を停止して蒸らしに移行し、この蒸らしを１５分継続して、内鍋２内のご飯を炊く構成となっている。
また、炊飯加熱に引き続き保温加熱が行われる。この保温加熱は、内鍋２を誘導加熱コイル６により電磁誘導加熱して、底センサ１０及び蓋温度センサ２１の検出温度と、時間管理とに基づいて、内鍋２への加熱量を調節し、底センサ１０で検出される内鍋２の温度を６０℃から８０℃に保持するものである。
このとき、蓋温度センサ２１の検出温度に基づき、蓋体１２の内面の温度を内鍋２内のご飯の温度に対してやや高めに保持するようになっている。
【００１３】
この実施の形態１では、炊飯時には誘導加熱コイル６だけでなく、蓋ヒータ１５も加熱され、蓋ヒータ１５の上方にある基板室２６も加熱されるため、基板室２６内の温度が上昇し、それに伴い密閉状態の基板室２６の内圧も上昇する。基板室２６の内圧が上昇すると、基板室２６と連通する内圧調整室３１内の弁体３２が基板室２６内の体積を増加させるように移動し、内圧の上昇を抑制する。
基板室２６は密閉状態にあり、基板室２６内の水蒸気量だけを基板室２６の凹部２６ａに配置した乾燥剤３０によって吸収するため、基板室２６内に配設された液晶表示部２９に結露を生じさせることはない。
また、乾燥剤３０は密閉状態にある基板室２６に配設されているので、経時による乾燥剤３０の機能低下が生じることもない。
このように、乾燥剤３０の量は、製品組立時の基板室２６内の水蒸気を吸収して除去するだけでよく、製品組立時の水蒸気量に合わせて必要最小限の乾燥剤を使用すればよい。
なお、この実施の形態１の内圧調整室３１内に配置されている弁体３２は、例えばゴム等のシール部材で形成されているが、形状はボール等でもよく、また、それ以外の材質としては比較的粘度の高い流体であってもよい。
【００１４】
実施の形態２．
図３は本発明の実施の形態２の炊飯器の要部の構成を示す断面図である。
この実施の形態２は、実施の形態１と内圧調整室３１の構成が異なるだけで、他の構成は実施の形態１と同様であるので、同一の構成は同一符号を付して重複した構成の説明を省略する。
この実施の形態２の内圧調整室４１は、基板室２６の側壁に取り付けられたラッパ状の管体であり、その細口部に弁体３２の代わりに伸縮自在なゴム風船４２を取り付けたものである。
蓋ヒータ１５の加熱により、蓋ヒータ１５の上方にある基板室２６が加熱され、基板室２６内の温度が上昇し、それに伴い密閉状態の基板室２６の内圧も上昇する。基板室２６の内圧が上昇すると、基板室２６と連通する内圧調整室４１に取り付けられたゴム風船４２が膨らんで基板室２６内の体積を増加させるように移動し、内圧の上昇を抑制するようにしたものである。
乾燥剤３０の作用、効果は実施の形態１と同様であり、その説明は省略する。
【００１５】
実施の形態３．
図４は本発明の実施の形態３の炊飯器の要部の構成を示す断面図である。
この実施の形態３は、実施の形態１と内圧調整室３１の構成が異なるだけで、他の構成は実施の形態１と同様であるので、同一の構成は同一符号を付して重複した構成の説明を省略する。
この実施の形態３の内圧調整室５１は、基板室２６の側壁に形成された開口であり、その開口に弁体３２の代わりに伸縮自在な素材である例えばゴムの膜５２を取り付けたものである。
蓋ヒータ１５の加熱により、蓋ヒータ１５の上方にある基板室２６が加熱され、基板室２６内の温度が上昇し、それに伴い密閉状態の基板室２６の内圧も上昇する。基板室２６の内圧が上昇すると、基板室２６の側壁に形成した内圧調整室５１である開口に取り付けられたゴムの膜５２が膨らんで基板室２６内の体積を増加させるように移動し、内圧の上昇を抑制するようにしたものである。
乾燥剤３０の作用、効果は実施の形態１と同様であり、その説明は省略する。
【図面の簡単な説明】
【００１６】
【図１】本発明の実施の形態１の炊飯器の構成を示す断面図。
【図２】同炊飯器の要部の構成を示す断面図。
【図３】本発明の実施の形態２の炊飯器の要部の構成を示す断面図。
【図４】本発明の実施の形態３の炊飯器の要部の構成を示す断面図。
【符号の説明】
【００１７】
１  炊飯器本体、２  内鍋、６  誘導コイル（加熱手段）、１０  底センサ、１２  蓋体、１５  蓋ヒータ、１６  操作パネル、１７  内蓋、２１  蓋温度センサ、２６  基板室、２６ａ  凹部、２７  表示部取付枠、２８  表示基板、２９  液晶表示部、２９ａ  凹部、３０  乾燥剤、３１  内圧調整室、３２  弁体、３５  制御基板、３６  制御部。
【図１】
2010075458.tif 000003
【図２】
2010075458.tif 000004
【図３】
2010075458.tif 000005
【図４】
2010075458.tif 000006